(57)【要約】【課題】電解コンデンサの劣化の検出を安価な構成で実現することができるコンデンサ劣化診断装置、インバータ装置、及び家電機器を得る。【解決手段】電解コンデンサの周囲空気の湿度を検出する湿度センサと、湿度センサの検出値が予め設定された劣化判定レベルを超えたとき、電解コンデンサの劣化を判定する劣化判定手段と、を備えたものである。【選択図】図１
2016111080.tif 000002
【特許請求の範囲】
【請求項１】
電解液を含む電解コンデンサの劣化を検知するコンデンサ劣化診断装置であって、
前記電解コンデンサの周囲空気の湿度を検出する湿度センサと、
前記湿度センサの検出値が予め設定された劣化判定レベルを超えたとき、前記電解コンデンサの劣化を判定する劣化判定手段と、
を備えたことを特徴とするコンデンサ劣化診断装置。
【請求項２】
前記劣化判定手段は、
前記劣化判定レベルが予め複数設定され、前記電解コンデンサの劣化の程度を多段階に判定する
ことを特徴とする請求項１記載のコンデンサ劣化診断装置。
【請求項３】
前記電解コンデンサは、防爆弁を有し、
前記湿度センサは、前記電解コンデンサの前記防爆弁に対向して配置された
ことを特徴とする請求項１または２に記載のコンデンサ劣化診断装置。
【請求項４】
前記湿度センサは、第１基板に搭載され、
前記第１基板は、前記電解コンデンサが搭載された第２基板に対して固定された
ことを特徴とする請求項３に記載のコンデンサ劣化診断装置。
【請求項５】
前記劣化判定手段が判定した劣化状態の情報を報知する報知手段を備えた
ことを特徴とする請求項１〜４の何れか一項に記載のコンデンサ劣化診断装置。
【請求項６】
整流された電源電圧を平滑する、電解液を含む電解コンデンサと、
複数のスイッチング素子を有し、前記電解コンデンサにより平滑された直流電圧を交流電圧に変換して出力するインバータ回路と、
請求項１〜５の何れか一項に記載のコンデンサ劣化診断装置と、
を備えたことを特徴とするインバータ装置。
【請求項７】
前記インバータ回路の駆動を制御する制御手段を備え、
前記制御手段は、
前記劣化判定手段の判定結果に応じて、前記インバータ回路の運転を制御する
ことを特徴とする請求項６記載のインバータ装置。
【請求項８】
請求項６または７記載のインバータ装置と、
前記インバータ回路により駆動される負荷と、
を備えたことを特徴とする家電機器。
【発明の詳細な説明】
【技術分野】
【０００１】
本発明は、電解コンデンサの劣化を検知するコンデンサ劣化診断装置、及びそれを備えたインバータ装置、及び家電機器に関する。
【背景技術】
【０００２】
従来の電解コンデンサの劣化診断装置においては、電磁波を電解コンデンサに照射することにより電解コンデンサの透過画像を取得し、この透過画像に基づいて劣化指標を算出するものが提案されている（例えば、特許文献１参照）。
【先行技術文献】
【特許文献】
【０００３】
【特許文献１】特許第５２９８３２５号公報
【発明の概要】
【発明が解決しようとする課題】
【０００４】
特許文献１に記載の技術は、電解液により透過が妨げられる電磁波を電解コンデンサに照射することにより、電解コンデンサの透過画像を取得する。次に、取得された透過画像を濃淡の程度に応じた濃淡値が対応付けられた濃淡画像に変換する。そして、この濃淡画像を用いて濃淡値の度数分布を生成し、かつ、生成された度数分布に基づいて、電解コンデンサの劣化状態を示す劣化指標を算出することで劣化判定を行っている。
このように、特許文献１に記載の技術では、コンデンサの劣化を検出するための構成及び演算処理が複雑であり、コンデンサの劣化の検出を安価な構成で実現することができない、という問題点があった。
【０００５】
本発明は、上記のような課題を解決するためになされたもので、電解コンデンサの劣化の検出を安価な構成で実現することができるコンデンサ劣化診断装置、インバータ装置、及び家電機器を得るものである。
【課題を解決するための手段】
【０００６】
本発明に係るコンデンサ劣化診断装置は、電解液を含む電解コンデンサの劣化を検知するコンデンサ劣化診断装置であって、前記電解コンデンサの周囲空気の湿度を検出する湿度センサと、前記湿度センサの検出値が予め設定された劣化判定レベルを超えたとき、前記電解コンデンサの劣化を判定する劣化判定手段と、を備えたものである。
【発明の効果】
【０００７】
本発明は、電解コンデンサの周囲空気の湿度の検出する湿度センサの検出値に基づいて、電解コンデンサの劣化を判定するので、コンデンサの劣化の検出を安価な構成で実現することができる。
【図面の簡単な説明】
【０００８】
【図１】実施の形態１に係るコンデンサ劣化診断装置のブロック構成図である。
【図２】実施の形態１に係る湿度センサとアルミ電解コンデンサの配置関係を示す側面図である。
【図３】実施の形態１に係るアルミ電解コンデンサを模式的に示す斜視図である。
【図４】アルミ電解コンデンサの防爆弁の膨れ状態を模式的に示す図である。
【図５】アルミ電解コンデンサの使用時間と防爆弁の膨れ及び電解液の噴出量との関係を示す図である。
【図６】実施の形態１に係るアルミ電解コンデンサの周囲空気の湿度と湿度センサの出力電圧との関係を示す図である。
【図７】実施の形態１に係るセンサ基板の固定方法の一例を示す図である。
【図８】実施の形態１に係るセンサ基板の固定方法の一例を示す図である。
【図９】実施の形態２に係るアルミ電解コンデンサの周囲空気の湿度と湿度センサの出力電圧との関係を示す図である。
【図１０】実施の形態３に係るインバータ装置の回路図である。
【図１１】実施の形態４に係る空気調和機の構成を示す図である。
【発明を実施するための形態】
【０００９】
実施の形態１．
図１は、実施の形態１に係るコンデンサ劣化診断装置のブロック構成図である。
図１において、コンデンサ劣化診断装置１００は、湿度センサ１０、劣化判定手段１１、報知手段１２、及び、停止手段１３を備えている。このコンデンサ劣化診断装置１００は、電解液を含むアルミ電解コンデンサ２００（後述）の劣化を検知するものである。
【００１０】
湿度センサ１０は、アルミ電解コンデンサ２００の周囲空気の湿度（相対湿度）を検出し、検出値に応じた電圧を劣化判定手段１１へ出力する。
劣化判定手段１１は、湿度センサ１０から出力された電圧に基づいて、アルミ電解コンデンサ２００の劣化を判定する。詳細は後述する。
報知手段１２は、例えばセグメントＬＥＤ又は液晶表示素子等からなり、劣化判定手段１１の出力に基づいてアルミ電解コンデンサ２００の劣化状態に関する所定の情報を使用者に報知する。
停止手段１３は、劣化判定手段１１の出力に基づいて、例えばアルミ電解コンデンサ２００が搭載された機器に対する停止信号などの、劣化状態に応じた所定の信号を出力する。
なお、報知手段１２及び停止手段１３の何れか一方を省略しても良い。
【００１１】
図２は、実施の形態１に係る湿度センサとアルミ電解コンデンサの配置関係を示す側面図である。
図２において、アルミ電解コンデンサ２００は、電解液の気化によりケースの内圧が上昇した際に開弁する防爆弁２２が設けられている。
湿度センサ１０は、アルミ電解コンデンサ２００の防爆弁２２に対向して配置されている。湿度センサ１０は、例えば、センサ基板１１０に搭載されている。このセンサ基板１１０が、アルミ電解コンデンサ２００を搭載したコンデンサ搭載基板２１０に対して固定されることで、湿度センサ１０が、アルミ電解コンデンサ２００の防爆弁２２に対向して配置される。
なお、センサ基板１１０は本発明における「第１基板」に相当し、コンデンサ搭載基板２１０は本発明における「第２基板」に相当する。また、アルミ電解コンデンサ２００は本発明における「電解コンデンサ」に相当する。
【００１２】
コンデンサ搭載基板２１０及びセンサ基板１１０は、アルミ電解コンデンサ２００が搭載された機器の製品筐体１２０に収納されている。
このように、アルミ電解コンデンサ２００と湿度センサ１０は、同一の雰囲気中に配置されており、湿度センサ１０は、アルミ電解コンデンサ２００の周囲空気の湿度ＲＨａを検出する。
【００１３】
図３は、実施の形態１に係るアルミ電解コンデンサを模式的に示す斜視図である。
図３に示すように、アルミ電解コンデンサ２００は、電荷が蓄積される電解コンデンサ素子を収納し、アルミニウム等の金属から成るケース２０の上面２０ａの外周部及び側面が薄い樹脂２１で覆われている。
また、ケース２０の上面２０ａには、Ｘ状の溝２０ｂが形成されており、上面２０ａ及び溝２０ｂにより防爆弁２２を構成している。
防爆弁２２は、ケース２０内部の電解液の分解によりガスが発生してケース２０の内部の圧力が上昇した際に膨張し、ケース２０の爆発よりも先に溝２０ｂが破断（開弁）してガスを逃がすものである。なお、図３の例では、上面２０ａにＸ状の溝を形成しているが、これに限らず任意の形状とすることができる。
このアルミ電解コンデンサ２００は、その他の電子部品とともにコンデンサ搭載基板２１０に取り付けられて使用される。
【００１４】
なお、コンデンサ劣化診断装置１００が劣化を検知する対象となるコンデンサはアルミ電解コンデンサに限らず、電解液を含むコンデンサであればよい。例えば、任意の種類の非固体電解コンデンサを検知対象とすることができる。
【００１５】
次に、本実施の形態１におけるコンデンサ劣化診断装置１００の動作を説明する。
図４は、アルミ電解コンデンサの防爆弁の膨れ状態を模式的に示す図である。
図５は、アルミ電解コンデンサの使用時間と防爆弁の膨れ及び電解液の噴出量との関係を示す図である。図５（ａ）は、防爆弁の膨れを示し、図５（ｂ）は、電解液の噴出量を示す。
なお、図４においては、湿度センサ１０の防爆弁２２から噴出された電解液の蒸気を、矢印にて模式的に示している。
図４及び図５（ａ）に示すように、アルミ電解コンデンサ２００は、使用時間の経過により電解液の気化が進み、内圧が徐々に上昇し、防爆弁２２が徐々に膨張する。そして、防爆弁２２の膨張が更に進み溝２０ｂへの応力が限界を超えると開弁（作動）する。
図５（ｂ）に示すように、防爆弁２２が作動すると、アルミ電解コンデンサ２００の内部で蒸発した電解液が防爆弁２２から噴出する。防爆弁２２から電解液の蒸気２３が噴出すると、アルミ電解コンデンサ２００の周囲空気の湿度が上昇する。
このようなことから、アルミ電解コンデンサ２００の周囲空気の湿度を検知することにより、電解液の蒸気２３の噴出を検知することができる。つまり、アルミ電解コンデンサ２００に劣化によって生じる電解液の噴出を検知することによって、結果としてアルミ電解コンデンサ２００の劣化を判定することができる。
【００１６】
図６は、実施の形態１に係るアルミ電解コンデンサの周囲空気の湿度と湿度センサの出力電圧との関係を示す図である。
図６に示すように、アルミ電解コンデンサ２００の周囲空気の湿度と湿度センサ１０の出力電圧は比例関係となる。つまり、防爆弁２２の作動によって電解液の蒸気２３が噴出すると、アルミ電解コンデンサ２００の周囲空気の湿度が上昇し湿度センサ１０の出力電圧値が上昇する。
【００１７】
そこで、本実施の形態１においては、図６に示すように、劣化判定レベルを劣化判定手段１１に予め設定する。そして、劣化判定手段１１は、湿度センサ１０の出力電圧がこの劣化判定レベル（図６のｂ点）を超えたとき、アルミ電解コンデンサ２００の劣化を判定する。即ち、アルミ電解コンデンサ２００の周囲空気の湿度が小さい場合（図６のａ点以下の場合）には、劣化判定手段１１はアルミ電解コンデンサ２００が正常と判定するが、湿度が大きい場合（図６のａ点を超えた場合）には、劣化判定手段１１はアルミ電解コンデンサ２００が劣化していると判定する。
【００１８】
なお、アルミ電解コンデンサ２００の周囲空気の湿度の変化は、アルミ電解コンデンサ２００の種類及び防爆弁２２の形状などによって異なり、また湿度センサ１０とアルミ電解コンデンサ２００との位置関係によっても異なるため、劣化判定レベルは、劣化発生時の実際の温度変化量等を計測した実験値などで設定するのがよい。
【００１９】
なお、本実施の形態１においては、湿度センサ１０の検知電圧が劣化判定レベルを超えたとき、劣化を判定したが、本発明はこれに限定されず、湿度センサ１０の検知電圧の変化量に基づいて、劣化を判定しても良い。例えば、予め設定した時間当たりの検知電圧の変化量が、予め設定した閾値を超えた場合に劣化していると判定しても良い。このような構成により、アルミ電解コンデンサ２００が搭載された機器の設置環境の湿度増加など、長期的な湿度変化による誤検知を抑制し、劣化の判定精度を向上することができる。
【００２０】
劣化判定手段１１は、劣化状態の判定結果を報知手段１２に対して出力する。報知手段１２は、例えばセグメントＬＥＤや液晶表示素子等に判定された劣化状態に関する情報（例えば、エラーコードなど）を表示させる。なお、この表示の際、所定のメンテナンス内容の情報（例えば、部品交換を促すメッセージなど）を表示させるようにしても良い。また、スピーカー等により、当該劣化状態に関する情報を音により報知するようにしても良い。
また、劣化判定手段１１は、劣化状態の判定結果を停止手段１３に対して出力する。停止手段１３は、例えばアルミ電解コンデンサ２００が搭載された機器に対して停止信号を出力し、当該機器の動作を停止させる。なお、停止手段１３からの出力はこれに限らず、例えば当該機器の出力電力の低下を指示する信号を出力するなど、任意の操作信号を出力するようにしても良い。
【００２１】
以上のように本実施の形態１においては、アルミ電解コンデンサ２００の周囲空気の湿度を検出する湿度センサ１０を備え、湿度センサ１０の検出値に基づいてアルミ電解コンデンサ２００の劣化を判定する。
このため、簡易な構成によってアルミ電解コンデンサ２００の劣化を判定することができ、製品コストを低減することができる。
また、湿度センサ１０の検出値が予め設定された劣化判定レベルを超えたとき、アルミ電解コンデンサ２００の劣化を判定するので、アルミ電解コンデンサ２００の劣化の検出を、精度良く実現することができる。
【００２２】
また、湿度センサ１０は、アルミ電解コンデンサ２００の防爆弁２２に対向して配置されている。このため、防爆弁２２から噴出した電解液の蒸気２３による湿度の上昇を効率よく検出することが可能となり、アルミ電解コンデンサ２００の劣化の検出を、精度良く実現することができる。
【００２３】
また、アルミ電解コンデンサ２００の劣化状態の判定結果を、報知手段１２により報知することにより、アルミ電解コンデンサ２００の劣化状態に関する情報を使用者に報知することができる。これにより、使用者は例えばアルミ電解コンデンサ２００が搭載された機器の運転を停止させることで、アルミ電解コンデンサ２００の劣化している状態での運転を抑制することができる。
【００２４】
また、アルミ電解コンデンサ２００の劣化状態の判定結果に応じて、停止手段１３は、例えばアルミ電解コンデンサ２００が搭載された機器に対して停止信号を出力し、当該機器の動作を停止させる。これにより、アルミ電解コンデンサ２００の劣化している状態の際に、アルミ電解コンデンサ２００が搭載された機器の運転を停止させることができる。
【００２５】
また、湿度センサ１０はセンサ基板１１０に搭載され、センサ基板１１０はコンデンサ搭載基板２１０に対して固定されている。このため、湿度センサ１０とアルミ電解コンデンサ２００との位置関係が固定され、アルミ電解コンデンサ２００の劣化の検出を、精度良く実現することができる。また、アルミ電解コンデンサ２００や他の電子部品の発熱の影響を受け難くすることができ、高精度、高信頼でアルミ電解コンデンサ２００の劣化を検知することが可能となる。
【００２６】
なお、センサ基板１１０をコンデンサ搭載基板２１０に対して固定する方法としては、たとえは図７及び図８に示すような方法がある。
例えば図７に示すように、センサ基板１１０とコンデンサ搭載基板２１０との間に、例えばスペーサ１１１を配置し、各基板とスペーサ１１１とをネジ１１２で固定することで、コンデンサ搭載基板２１０にセンサ基板１１０を固定する。
また例えば図８に示すように、アルミ電解コンデンサ２００が搭載された製品筐体１２０に、センサ基板１１０をネジ１２１で固定する。
なお、センサ基板１１０の固定方法はこれに限るものではなく、湿度センサ１０が防爆弁２２に対向して配置できるものであれば良い。
【００２７】
実施の形態２．
本実施の形態２における劣化判定手段１１は、劣化判定レベルが予め複数設定され、アルミ電解コンデンサ２００の劣化の程度を多段階に判定する。
以下、本実施の形態２について、上記実施の形態１との相違点を中心に説明する。なお、上記実施の形態１と同一部分については同一符号を付して、その説明を省略する。
【００２８】
図９は、実施の形態２に係るアルミ電解コンデンサの周囲空気の湿度と湿度センサの出力電圧との関係を示す図である。
本実施の形態２における劣化判定手段１１には、劣化判定レベルが予め複数設定されている。例えば図９に示すように、湿度の各点ａ１〜ａ３に対応して、劣化判定レベル１〜３（ｂ１〜ｂ３）が設定されている。
劣化判定手段１１は、湿度センサ１０の出力電圧と、劣化判定レベル１〜３とを比較して、各劣化判定レベルに応じて、劣化の程度を判定する。
なお、アルミ電解コンデンサ２００の周囲空気の湿度の変化は、アルミ電解コンデンサ２００によって異なるため、複数の劣化判定レベルは実際の湿度変化量等を計測した実験値などで設定するのが良い。
【００２９】
例えば劣化判定手段１１は、湿度センサの出力電圧がｂ３までは、正常状態であると判定する。
一方、湿度センサの出力電圧がｂ３を上回った場合は、劣化状態であり、劣化判定レベル１〜３に応じて、所定の劣化の程度を判定する。劣化判定手段１１は、劣化状態の判定結果を報知手段１２に対して出力する。
例えば劣化判定レベル１を上回った場合は、劣化の程度が注意状態であると判定する。また、劣化判定レベル２を上回った場合は、劣化の程度が警告状態であると判定する。また、劣化判定レベル３を上回った場合は、劣化の程度が遮断状態であると判定する。
そして、報知手段１２は、劣化の程度に応じて、例えばセグメントＬＥＤ又は液晶表示素子等に判定された劣化の程度に関する情報（例えば、注意、警告、遮断など）を表示させる。なお、この表示の際、所定のメンテナンス内容の情報を表示させるようにしても良い。例えば、注意の警告の際には部品寿命が近いことを注意喚起し、警告の際には部品交換を促すメッセージを表示し、遮断の際には部品寿命により運転不可である表示などを行う。
【００３０】
また、劣化判定手段１１は、劣化の程度の判定結果を停止手段１３に対して出力する。停止手段１３は、例えばアルミ電解コンデンサ２００が搭載された機器に対して、判定された劣化の程度に応じた出力を行う。
例えば、劣化の程度が注意状態である場合は機器に対する出力は行わない。劣化の程度が警告状態である場合は、機器の出力電力の低下を指示する信号を出力する。また、劣化の程度が遮断状態である場合は、停止信号を出力し、当該機器の動作を停止させる。
なお、劣化判定レベルの数は３つに限らず任意の数を設定することができる。
【００３１】
以上のように本実施の形態２においては、劣化判定手段１１は、劣化判定レベルが予め複数設定され、アルミ電解コンデンサ２００の劣化の程度を多段階に判定する。このため、上記実施の形態１の効果に加え、アルミ電解コンデンサ２００の劣化の程度に応じた判定を行うことができる。
【００３２】
実施の形態３．
図１０は、実施の形態３に係るインバータ装置の回路図である。
図１０において、インバータ装置３００は、整流回路３と、直流電圧を交流電圧に変換して出力するインバータ回路５と、アルミ電解コンデンサ２００と、上記実施の形態１または２に記載のコンデンサ劣化診断装置１００と、インバータ回路５の駆動を制御する制御手段６とにより構成されている。このインバータ装置３００は、商用電源１から供給される電力により駆動されるモータ７（負荷）の運転を制御するものである。
【００３３】
整流回路３は、例えば全波整流回路となっており、商用電源１の交流電圧を直流電圧に変換する。この整流回路３は、４個の半導体スイッチ素子の整流ダイオード３ａ〜３ｄをブリッジ接続して構成される。
整流回路３の出力側には平滑用のコンデンサとして、上述したアルミ電解コンデンサ２００が接続されている。
【００３４】
インバータ回路５は、アルミ電解コンデンサ２００により平滑された直流電圧が入力され、制御手段６からの制御により例えばＰＷＭ制御を行い、入力された直流電圧を任意電圧、任意周波数の交流に変換する。このインバータ回路５は、例えばトランジスタ等の半導体によるスイッチング素子５ａ〜５ｆを各々ブリッジ接続して構成される。また、各々のスイッチング素子５ａ〜５ｆには並列に逆電流方向にダイオードが設けられている。
【００３５】
制御手段６は、インバータ回路５のスイッチング素子５ａ〜５ｆのスイッチング時間を決定することでＰＷＭ（パルス幅変調：Ｐｕｌｓｅ  Ｗｉｄｔｈ  Ｍｏｄｕｌａｔｉｏｎ）を行い、モータ７の各巻線に電圧を印加することでモータ７を駆動制御する。
【００３６】
コンデンサ劣化診断装置１００は、上述した実施の形態１または２と同様に、整流回路３の出力側に設けられたアルミ電解コンデンサ２００の劣化を検知する。
また、コンデンサ劣化診断装置１００の停止手段１３は、劣化状態に応じた所定の信号を制御手段６に出力する。
例えば、停止手段１３は、劣化判定手段１１の出力に基づいて、制御手段６に対して停止信号又は負荷（モータ７）の出力電力の低下を指示する信号を出力する。
【００３７】
制御手段６は、コンデンサ劣化診断装置１００の判定結果に応じて、インバータ回路５を制御してモータ７を駆動制御する。
例えば、停止信号が入力された場合には、モータ７の駆動を停止させる。また、出力電力の低下を指示する信号が入力された場合には、モータ７の回転数を低減するなどして、インバータ回路５からの出力電力を低下させる。
【００３８】
以上のように本実施の形態３においては、劣化判定手段１１の判定結果に応じて、インバータ回路５の運転を制御するので、アルミ電解コンデンサ２００の劣化故障による発煙及び異臭の発生を防止することができる。
【００３９】
実施の形態４．
本実施の形態４では、家電機器として例えば空気調和機にコンデンサ劣化診断装置１００を搭載した場合の形態について説明する。
図１１は、実施の形態４に係る空気調和機の構成を示す図である。
図１１において、本実施の形態４における空気調和機は、室外機３１０、室内機３２０を備え、室外機３１０には、図示しない冷媒回路に接続され冷凍サイクルを構成する冷媒圧縮機３１１、図示しない熱交換器を送風する室外機用の送風機３１２を備えている。そして、この冷媒圧縮機３１１及び室外機用の送風機３１２の少なくとも一方は、上述したインバータ装置３００により制御されるモータ７により駆動される。
このような構成においても、上記実施の形態１〜３と同様の効果が得られることはいうまでもない。
【００４０】
なお、本実施の形態４では、家電機器の一例として空気調和機を説明したが、本発明はこれに限るものではなく、インバータ装置３００により駆動される負荷を備えた家電機器であれば良く、例えば冷蔵庫、手乾燥機、ＩＨクッキングヒータ、炊飯器、照明器具などでも良い。
【符号の説明】
【００４１】
１  商用電源、３  整流回路、３ａ〜３ｄ  整流ダイオード、５  インバータ回路、５ａ〜５ｆ  スイッチング素子、６  制御手段、７  モータ、１０  湿度センサ、１１  劣化判定手段、１２  報知手段、１３  停止手段、２０  ケース、２０ａ  上面、２０ｂ  溝、２１  樹脂、２２  防爆弁、２３  電解液の蒸気、１００  コンデンサ劣化診断装置、１１０  センサ基板、１１１  スペーサ、１１２  ネジ、１２０  製品筐体、１２１  ネジ、２００  アルミ電解コンデンサ、２１０  コンデンサ搭載基板、３００  インバータ装置、３１０  室外機、３１１  冷媒圧縮機、３１２  送風機、３２０  室内機。
【図１】
2016111080.tif 000003
【図２】
2016111080.tif 000004
【図３】
2016111080.tif 000005
【図４】
2016111080.tif 000006
【図５】
2016111080.tif 000007
【図６】
2016111080.tif 000008
【図７】
2016111080.tif 000009
【図８】
2016111080.tif 000010
【図９】
2016111080.tif 000011
【図１０】
2016111080.tif 000012
【図１１】
2016111080.tif 000013